(57)【要約】【課題】読取原稿のページに複写禁止領域を部分的に設定可能な画像読取装置を提供すること目的とする。【解決手段】原稿画像を読み取り、読取画像データを出力する画像読取装置において、所定の地紋パターンを認識する地紋パターン認識手段を備え、画像読取時、前記地紋パターン認識手段が、前記地紋パターンが付加されている画像領域を認識すると、当該画像領域の読取画像データの内容を、非可読状態に画像加工し、当該画像加工後の読取画像データを出力するようにした。【選択図】        図３
2007124169.tif 000002
【特許請求の範囲】
【請求項１】
原稿画像を読み取り、読取画像データを出力する画像読取装置において、
所定の地紋パターンを認識する地紋パターン認識手段を備え、
画像読取時、前記地紋パターン認識手段が、前記地紋パターンが付加されている画像領域を認識すると、当該画像領域の読取画像データの内容を、非可読状態に画像加工し、当該画像加工後の読取画像データを出力するようにしたことを特徴とする画像読取装置。
【請求項２】
前記地紋パターン認識手段が前記地紋パターンが付加されている画像領域を認識すると、当該読取原稿が複写禁止原稿であることを可視表示することを特徴とする請求項１記載の画像読取装置。
【請求項３】
前記地紋パターン認識手段が前記地紋パターンが付加されている画像領域を認識すると、さらに、読取りジョブを継続するか中断するかを問い合わせ表示し、当該問い合わせに対するユーザの入力に応じて、その後の処理を継続することを特徴とする請求項２記載の画像読取装置。
【請求項４】
前記地紋パターン認識手段が前記地紋パターンが付加されている画像領域を認識したとき、前記可視表示、および、前記問い合わせ表示を行うか否かを設定可能としたことを特徴とする請求項２または請求項３記載の画像読取装置。
【請求項５】
前記地紋パターン認識手段が前記地紋パターンが付加されている画像領域を認識したとき、当該画像領域に対して前記画像加工を実施するかしないかを設定可能にしたことを特徴とする請求項１または請求項２または請求項３または請求項４記載の画像読取装置。
【発明の詳細な説明】
【技術分野】
【０００１】
本発明は、原稿画像を読み取り、読取画像データを出力する画像読取装置に関する。
【背景技術】
【０００２】
従来、画像の背景に所定の地紋パターンを合成し、当該地紋パターンを認識した際には、当該読取原稿を複写禁止原稿として認識し、複写動作を行わなかったり、あるいは、読取画像データを非可読にして複写動作を行うようにした画像形成装置が提案されている（特許文献１参照）。
【特許文献１】特開２００４−２２１７７３号公報
【発明の開示】
【発明が解決しようとする課題】
【０００３】
しかしながら、このような従来装置では、読取原稿１ページ単位に複写禁止を設定していたため、例えば、１ページの画像を部分的に複写禁止したいような要求には対応できなかった。
【０００４】
本発明は、かかる実情に鑑みてなされたものであり、読取原稿のページに複写禁止領域を部分的に設定可能な画像読取装置を提供すること目的とする。
【課題を解決するための手段】
【０００５】
本発明は、原稿画像を読み取り、読取画像データを出力する画像読取装置において、所定の地紋パターンを認識する地紋パターン認識手段を備え、画像読取時、前記地紋パターン認識手段が、前記地紋パターンが付加されている画像領域を認識すると、当該画像領域の読取画像データの内容を、非可読状態に画像加工し、当該画像加工後の読取画像データを出力するようにしたものである。
【０００６】
また、前記地紋パターン認識手段が前記地紋パターンが付加されている画像領域を認識すると、当該読取原稿が複写禁止原稿であることを可視表示するようにしたものである。
【０００７】
また、前記地紋パターン認識手段が前記地紋パターンが付加されている画像領域を認識すると、さらに、読取りジョブを継続するか中断するかを問い合わせ表示し、当該問い合わせに対するユーザの入力に応じて、その後の処理を継続するようにしたものである。
【０００８】
また、前記地紋パターン認識手段が前記地紋パターンが付加されている画像領域を認識したとき、前記可視表示、および、前記問い合わせ表示を行うか否かを設定可能としたものである。
【０００９】
また、前記地紋パターン認識手段が前記地紋パターンが付加されている画像領域を認識したとき、当該画像領域に対して前記画像加工を実施するかしないかを設定可能にしたものである。
【発明の効果】
【００１０】
したがって、本発明によれば、読取原稿のページに複写禁止領域を部分的に設定することができ、１ページの画像を部分的に複写禁止したいような要求には対応することができるという効果を得る。
【発明を実施するための最良の形態】
【００１１】
以下、添付図面を参照しながら、本発明の実施の形態を詳細に説明する。
【００１２】
図１は、本発明の一実施例にかかるネットワークシステムを示している。
【００１３】
同図において、ローカルエリアネットワークＬＡＮには、複数のパーソナルコンピュータ装置ＰＣ１〜ＰＣｎ、サーバ装置ＳＭ、および、ネットワーク対応複合機ＦＸが接続されているとともに、ルータ装置ＲＴを介してインターネットへ接続されている。また、ネットワーク対応複合機ＦＸには、ローカルにパーソナルコンピュータ装置ＰＣが接続されている。
【００１４】
したがって、パーソナルコンピュータ装置ＰＣ１〜ＰＣｎ、メールサーバ装置ＳＭ、および、ネットワーク対応複合機ＦＸは、インターネットを介し、他の適宜な端末装置との間でデータをやりとりすることができる。
【００１５】
ここで、サーバ装置ＳＭは、ローカルエリアネットワークＬＡＮに接続されているパーソナルコンピュータ装置ＰＣ１〜ＰＣｎを利用するユーザ、および、ネットワークネットワーク対応複合機ＦＸに対して、周知の電子メールの収集および配布のサービスを提供するメールサーバ機能等、種々のサーバ機能を実現するためのものである。
【００１６】
また、パーソナルコンピュータ装置ＰＣ１〜ＰＣｎには、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。例えば、電子メールをやりとりするための電子メール機能、ローカルエリアネットワークＬＡＮを介してネットワーク対応複合機ＦＸに対して印刷動作を指令するためのネットワークプリントホスト装置機能等を備えている。
【００１７】
また、ネットワーク対応複合機ＦＸは、ローカル操作により読取原稿の複写物を形成する複写機能、ローカル接続されたパーソナルコンピュータ装置ＰＣからのプリント要求を受け付けて印刷物を記録出力するプリンタ機能、ローカルエリアネットワークＬＡＮを介してパーソナルコンピュータ装置ＰＣ１〜ＰＣｎからのネットワークプリント要求機能を受け付けて印刷物を記録出力するネットワークプリンタ機能、画情報や各種レポートなどを電子メールとしてやりとりするための電子メール処理機能、および、アナログ公衆回線網ＰＳＴＮに接続し、この公衆網を伝送路として用いてグループ３ファクシミリ伝送手順による画情報伝送を行う伝送機能を備えている。
【００１８】
図２は、ネットワーク対応複合機ＦＸの構成例を示している。
【００１９】
同図において、システム制御部１は、このネットワーク対応複合機ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワーク対応複合機ＦＸに固有な各種の情報を記憶するためのものであり、時計回路４は、現在時刻情報を出力するものである。
【００２０】
カラースキャナ５は、フルカラーで所定の解像度で原稿画像を読み取るためのものであり、カラープロッタ６は、所定の解像度でフルカラー画像を記録出力するためのものであり、操作表示部７は、このネットワーク対応複合機ＦＸを操作するためのもので、各種の操作キー、および、各種の表示器からなる。
【００２１】
符号化復号化部８は、画信号を符号化圧縮するとともに、符号化圧縮されている画情報を元の画信号に復号化するためのものであり、磁気ディスク装置９は、符号化圧縮された状態の画情報を多数記憶したり、種々のデータファイル等を記憶するためのものである。
【００２２】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２３】
網制御装置１１は、このネットワーク対応複合機ＦＸをアナログ公衆回線網ＰＳＴＮに接続するためのものであり、自動発着信機能を備えている。
【００２４】
ローカルエリアネットワークインターフェース回路１２は、このネットワーク対応複合機ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２５】
パーソナルコンピュータ装置インタフェース回路１４は、パーソナルコンピュータ装置ＰＣを接続して、パーソナルコンピュータ装置ＰＣとの間で種々の情報をやりとりするためのものである。
【００２６】
地紋認識ユニット１５は、原稿画像を読み取って得た画像データに含まれる所定の地紋パターンを認識するためのものであり、１ページの画像データに含まれる地紋パターン付加領域（複写禁止範囲；後述）を検出する。
【００２７】
これらの、システム制御部１、システムメモリ２、パラメータメモリ３、時計回路４、スキャナ５、プロッタ６、操作表示部７、符号化復号化部８、磁気ディスク装置９、グループ３ファクシミリモデム１０、網制御装置１１、ローカルエリアネットワーク伝送制御部１３、パーソナルコンピュータ装置インタフェース回路１４、および、地紋認識ユニット１５は、内部バス１６に接続されており、これらの各要素間でのデータのやりとりは、主としてこの内部バス１６を介して行われている。
【００２８】
また、網制御装置１１とグループ３ファクシミリモデム１０との間のデータのやりとりは、直接行なわれている。
【００２９】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用され、ネットワークプリント機能にかかるデータのやりとりでは、例えば、ＬＰＲ（Ｌｉｎｅ  ＰＲｉｎｔｅｒ  ｄａｅｍｏｎ  ｐｒｏｔｏｃｏｌ）が適用される。
【００３０】
また、ＴＣＰ／ＩＰ，ＳＭＴＰ，ＬＰＲなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）などでそれぞれ規定されている。また、ＬＰＲは、ＲＦＣ１１７９などで規定されている。  さて、本実施例では、図３（ａ）に示すように、読取原稿ＤＰには、あらかじめ設定された複写禁止領域ＰＰ１，ＰＰ２に、所定の地紋パターンが合成されて記録されている。
【００３１】
そして、例えば、このような複写禁止領域ＰＰ１，ＰＰ２を含む読取原稿ＤＰの複写物ＣＰを作成する際には、複写禁止領域ＰＰ１，ＰＰ２の画像データには、ユーザが認識できない非可読パターンを合成するように画像を加工し、同図（ｂ）に示すような複写物ＣＰを形成して記録出力する。
【００３２】
なお、このネットワーク対応複合機ＦＸが複写モード以外の動作、例えば、スキャン・ツー・イーメールのアプリケーション動作モードの場合には、同図（ｂ）のように画像加工した画像データを、電子メールに添付して、指定された宛先へ送信する。すなわち、この場合、出力される読取画像データは、複写禁止領域ＰＰ１，ＰＰ２の画像を可読できない状態に画像加工した状態で、出力するのである。
【００３３】
図４は、この場合、ネットワーク対応複合機ＦＸが行う複写動作の一例を示している。
【００３４】
まず、カラースキャナ５を読取動作して、読取原稿の画像を読み取る（処理１０１）。次いで、処理１０１によって得た読取画像データに、地紋パターンが合成された複写禁止領域があるかどうか、地紋認識ユニット１５を用いて調べる（判断１０２）。
【００３５】
判断１０２の結果がＹＥＳになるときには、地紋認識ユニット１５が認識した複写禁止領域について、読取画像データを加工し（処理１０３）、加工後の読取画像データの複写物をカラープロッタ６より記録出力する（処理１０４）。
【００３６】
また、判断１０２の結果がＮＯになるときには、処理１０３を実行せずに処理１０４へ移行し、処理１０１で読み取って得た読取画像データの複写物をカラープロッタ６より記録出力する。
【００３７】
このようにして、本実施例では、複製、及び読取り禁止範囲が含まれる原稿を読取った場合、当該範囲の情報が読取られない効果がある。
【００３８】
図５（ａ）は、操作表示部７の構成の概略を示している。
【００３９】
同図において、スタートキー７ａは、ネットワーク対応複合機ＦＸの複写動作等の動作の開始を指令するための入力キーであり、キャンセル／ストップキー７ｂは、ネットワーク対応複合機ＦＸの動作を停止させるためのものであり、テンキー７ｃは、数字情報を操作入力するためのものである。
【００４０】
液晶タッチパネル部７ｄは、所定画面領域を備えた液晶表示器の表示画面に、タッチパネルを設けたものであり、モードキー群７ｅは、初期設定モード、コピーモード、スキャナモード、プリンタモード、および、ファクスモードの動作モードを設定入力するためのものである。
【００４１】
図６は、ネットワーク対応複合機ＦＸが行う複写動作の他の例を示している。
【００４２】
まず、カラースキャナ５を読取動作して、読取原稿の画像を読み取る（処理２０１）。次いで、処理２０１によって得た読取画像データに、地紋パターンが合成された複写禁止領域があるかどうか、地紋認識ユニット１５を用いて調べる（判断２０２）。
【００４３】
判断２０２の結果がＹＥＳになるときには、操作表示部７の液晶タッチパネル部７ｅに、図５（ｂ）に示すように、複写禁止画像原稿を検知した旨を通知するパネル表示ＡＬＴを表示出力する（処理２０３）。
【００４４】
次いで、地紋認識ユニット１５が認識した複写禁止領域について、読取画像データを加工し（処理２０４）、加工後の読取画像データの複写物をカラープロッタ６より記録出力する（処理２０５）。
【００４５】
また、判断２０２の結果がＮＯになるときには、処理２０３，２０４を実行せずに処理２０５へ移行し、処理２０１で読み取って得た読取画像データの複写物をカラープロッタ６より記録出力する。
【００４６】
したがって、この場合には、複製、及び読取り禁止範囲が含まれる原稿を読取ろうとしていることを、利用者に対して注意を促す効果がある。
【００４７】
図７は、ネットワーク対応複合機ＦＸが行う複写動作のさらに他の例を示している。
【００４８】
まず、カラースキャナ５を読取動作して、読取原稿の画像を読み取る（処理３０１）。次いで、処理３０１によって得た読取画像データに、地紋パターンが合成された複写禁止領域があるかどうか、地紋認識ユニット１５を用いて調べる（判断３０２）。
【００４９】
判断３０２の結果がＹＥＳになるときには、操作表示部７の液晶タッチパネル部７ｅに、図５（ｂ）に示すように、複写禁止画像原稿を検知した旨を通知するパネル表示ＡＬＴを表示出力（処理３０３）するとともに、同図（ｂ）に示すように、動作を継続するか中断するかユーザの判断を仰いで、その判断結果を入力させるダイアログパネルＧＤＳを表示し（処理３０４）、ユーザがダイアログパネルＧＤＳに対して、「継続」を選択するか、あるいは、「中断」を選択するかを判断する（判断３０５）。
【００５０】
ユーザがダイアログパネルＧＤＳに対して、「継続」を選択した場合で、判断３０５の結果がＹＥＳになるときには、地紋認識ユニット１５が認識した複写禁止領域について、読取画像データを加工し（処理３０６）、加工後の読取画像データの複写物をカラープロッタ６より記録出力する（処理３０７）。
【００５１】
また、ユーザがダイアログパネルＧＤＳに対して、「中断」を選択した場合で、判断３０５の結果がＮＯになるときには、処理３０１で読み取って得た読取画像データを破棄し（処理３０８）、このときの動作を終了する。
【００５２】
また、判断３０２の結果がＮＯになるときには、処理３０７へ移行し、処理３０１で読み取って得た読取画像データの複写物をカラープロッタ６より記録出力する。
【００５３】
したがって、この場合には、複製、及び読取り禁止範囲が含まれる原稿を読取ろうとしていることを、利用者に対して注意を促すとともに、複製、及び読取り禁止範囲が含まれる原稿の読取りジョブの継続または中断を利用者に指定できる効果がある。
【００５４】
図８は、ネットワーク対応複合機ＦＸが行う複写動作の別の例を示している。
【００５５】
まず、カラースキャナ５を読取動作して、読取原稿の画像を読み取る（処理４０１）。次いで、処理４０１によって得た読取画像データに、地紋パターンが合成された複写禁止領域があるかどうか、地紋認識ユニット１５を用いて調べる（判断４０２）。
【００５６】
判断４０２の結果がＹＥＳになるときには、そのとき、システムに、パネル表示ＡＬＴを表示するように設定されているかどうか（設定情報は、図示略）を調べ（判断４０３）、判断４０３の結果がＹＥＳになるときには、操作表示部７の液晶タッチパネル部７ｅに、図５（ｂ）に示すように、複写禁止画像原稿を検知した旨を通知するパネル表示ＡＬＴを表示出力（処理４０４）する。また、判断４０３の結果がＮＯになるときには、処理４０４を実行しない。
【００５７】
次いで、システムに、ダイアログパネルＧＤＳを表示するように設定されているかどうか（設定情報は、図示略）を調べ（判断４０５）、判断４０５の結果がＹＥＳになるときには、同図（ｂ）に示すように、動作を継続するか中断するかユーザの判断を仰いで、その判断結果を入力させるダイアログパネルＧＤＳを表示し（処理４０６）、ユーザがダイアログパネルＧＤＳに対して、「継続」を選択するか、あるいは、「中断」を選択するかを判断する（判断４０７）。
【００５８】
ユーザがダイアログパネルＧＤＳに対して、「継続」を選択した場合で、判断４０７の結果がＹＥＳになるときには、地紋認識ユニット１５が認識した複写禁止領域について、読取画像データを加工し（処理４０８）、加工後の読取画像データの複写物をカラープロッタ６より記録出力する（処理４０９）。
【００５９】
また、ユーザがダイアログパネルＧＤＳに対して、「中断」を選択した場合で、判断４１０の結果がＮＯになるときには、処理４０１で読み取って得た読取画像データを破棄し（処理４１０）、このときの動作を終了する。
【００６０】
また、判断４０５の結果がＮＯになるときには、処理４０８へ移行し、地紋認識ユニット１５が認識した複写禁止領域について、読取画像データを加工し、加工後の読取画像データの複写物をカラープロッタ６より記録出力する。
【００６１】
一方、判断４０２の結果がＮＯになるときには、処理４０９へ移行し、処理４０１で読み取って得た読取画像データの複写物をカラープロッタ６より記録出力する。
【００６２】
したがって、この場合には、複製、及び読取り禁止範囲が含まれる原稿を読取ろうとしていることを、利用者に対して注意を促すとともに、複製、及び読取り禁止範囲が含まれる原稿の読取りジョブの継続または中断を利用者に指定できる効果がある。また、複製、及び読取り禁止範囲が含まれる原稿を読取ろうとしていることを、利用者に対して注意を促すことと、以降の処理を毎回ユーザが指定する手続きを省略できる効果がある。
【００６３】
ところで、例えば、地紋認識ユニット１５に障害が発生して、適切な処理を行うことができないような状態になっている場合、地紋認識ユニット１５の判断機能を行わないように設定できるようになっていることが好ましい（図９（ａ），（ｂ），（ｃ）参照）。例えば、その設定情報は、システムメモリ２に保存することができる。
【００６４】
図１０は、この場合にネットワーク対応複合機ＦＸが行う複写動作の一例を示している。
【００６５】
まず、地紋パターン認識を行う旨が設定されているかどうかを、システムの設定情報（図示略）を調べて判断する（判断５００）。判断５００の結果がＹＥＳになるときには、カラースキャナ５を読取動作して、読取原稿の画像を読み取る（処理５０１）。次いで、処理５０１によって得た読取画像データに、地紋パターンが合成された複写禁止領域があるかどうか、地紋認識ユニット１５を用いて調べる（判断５０２）。
【００６６】
判断５０２の結果がＹＥＳになるときには、そのとき、システムに、パネル表示ＡＬＴを表示するように設定されているかどうか（設定情報は、図示略）を調べ（判断５０３）、判断５０３の結果がＹＥＳになるときには、操作表示部７の液晶タッチパネル部７ｅに、図５（ｂ）に示すように、複写禁止画像原稿を検知した旨を通知するパネル表示ＡＬＴを表示出力（処理５０４）する。また、判断５０３の結果がＮＯになるときには、処理５０４を実行しない。
【００６７】
次いで、システムに、ダイアログパネルＧＤＳを表示するように設定されているかどうか（設定情報は、図示略）を調べ（判断５０５）、判断５０５の結果がＹＥＳになるときには、同図（ｂ）に示すように、動作を継続するか中断するかユーザの判断を仰いで、その判断結果を入力させるダイアログパネルＧＤＳを表示し（処理５０６）、ユーザがダイアログパネルＧＤＳに対して、「継続」を選択するか、あるいは、「中断」を選択するかを判断する（判断５０７）。
【００６８】
ユーザがダイアログパネルＧＤＳに対して、「継続」を選択した場合で、判断５０７の結果がＹＥＳになるときには、地紋認識ユニット１５が認識した複写禁止領域について、読取画像データを加工し（処理５０８）、加工後の読取画像データの複写物をカラープロッタ６より記録出力する（処理５０９）。
【００６９】
また、ユーザがダイアログパネルＧＤＳに対して、「中断」を選択した場合で、判断４１０の結果がＮＯになるときには、処理５０１で読み取って得た読取画像データを破棄し（処理５１０）、このときの動作を終了する。
【００７０】
また、判断５０５の結果がＮＯになるときには、処理５０８へ移行し、地紋認識ユニット１５が認識した複写禁止領域について、読取画像データを加工し、加工後の読取画像データの複写物をカラープロッタ６より記録出力する。
【００７１】
一方、判断５０２の結果がＮＯになるときには、処理５０９へ移行し、処理５０１で読み取って得た読取画像データの複写物をカラープロッタ６より記録出力する。
【００７２】
また、地紋パターン認識を行わない旨が設定されている場合で、判断５００の結果がＮＯになるときには、カラースキャナ５を読取動作して、読取原稿の画像を読み取り（処理５１１）、処理５０９へ移行し、処理５１１で読み取って得た読取画像データの複写物をカラープロッタ６より記録出力する。
【００７３】
このようにして、本実施例では、地紋認識ユニット１５による複写禁止範囲の検知を無効に設定することで、当該地紋認識ユニット１５が故障していても、読取り動作に影響を及ぼさない効果がある。
【００７４】
なお、上述した実施例では、本発明をネットワーク対応複合機ＦＸに適用した場合について説明したが、本発明は、同様の画像読取機能を備えた装置であれば、同様にして適用することができる。
【図面の簡単な説明】
【００７５】
【図１】本発明の一実施例にかかるネットワークシステムを示したブロック図。
【図２】ネットワーク対応複合機ＦＸの構成例を示したブロック図。
【図３】複写禁止の地紋が印字された原稿、および、加工済みの読取画像データの一例を示した概略図。
【図４】ネットワーク対応複合機ＦＸの処理の一例を示したフローチャート。
【図５】操作表示部の一例、パネル表示ＡＬＴ、および、ガイダンス表示ＧＤＳの一例を示した概略図。
【図６】ネットワーク対応複合機ＦＸの処理の他の例を示したフローチャート。
【図７】ネットワーク対応複合機ＦＸの処理のさらに他の例を示したフローチャート。
【図８】ネットワーク対応複合機ＦＸの処理のまたさらに他の例を示したフローチャート。
【図９】複写禁止の地紋が印字された原稿、加工済みの読取画像データ、および、加工なしの読取画像データの一例を示した概略図。
【図１０】ネットワーク対応複合機ＦＸの処理の別の例を示したフローチャート。
【符号の説明】
【００７６】
１  システム制御部
２  システムメモリ
５  カラースキャナ
６  カラープロッタ
１５  地紋認識ユニット
【図１】
2007124169.tif 000003
【図２】
2007124169.tif 000004
【図３】
2007124169.tif 000005
【図４】
2007124169.tif 000006
【図５】
2007124169.tif 000007
【図６】
2007124169.tif 000008
【図７】
2007124169.tif 000009
【図８】
2007124169.tif 000010
【図９】
2007124169.tif 000011
【図１０】
2007124169.tif 000012